(57)【特許請求の範囲】
【請求項１】
画像入力装置から入力する映像信号中から特定領域を検出して該特定領域のフレーム内における位置データを出力する特定領域検出部と、
画像入力装置から入力する画像の少なくとも一部を覆うように合成される重畳画像を格納する重畳画像記憶部と、
前記位置データに基づき、フレーム内における前記重畳画像の位置を変更する重畳画像編集部と、
画像入力装置から入力する映像信号と前記重畳画像とを合成する画像合成部と
を備え、
前記特定領域検出部は、特定領域の寸法を検出して寸法データを出力する手段を有し、
前記重畳画像編集部は、前記寸法データを前記重畳画像と比較することにより寸法差を検出し、該寸法差に基づいて、前記重畳画像の倍率を変更する手段を有し、
前記重畳画像記憶部に格納される前記重畳画像は、動画であり、
前記重畳画像編集部は、時間経過により変化する動画の重畳画像を、前記位置データおよび前記寸法データに適応させて位置および倍率を変更する
ことを特徴とする映像信号編集装置。
【請求項２】
前記重畳画像記憶部に格納される重畳画像は、透過あるいは非透過が自在となる背景部を有し、
前記重畳画像編集部は、外部からの制御信号により、前記背景部の透過度を変更する手段を有する
ことを特徴とする請求項１に記載の映像信号編集装置。
【請求項３】
前記重畳画像編集部は、時間経過に従って動画の重畳画像の背景の透過度を、非透過から透過に漸次変更するか、あるいは、非透過から透過に漸次変更する
ことを特徴とする請求項２に記載の映像信号編集装置。
【発明の詳細な説明】
【０００１】
【発明の属する技術分野】
この発明は、画像入力装置により取り込まれた映像信号を重畳画像と合成して出力する映像信号編集装置に関する。
【０００２】
【従来の技術】
例えば、ゲームセンターやスーパーマーケット等に設置されるシール製造装置では、画像入力装置から入力させた顔の映像信号に対して、被せるように静止画の重畳画像を合成した合成画像をシールにして出力することができる。
【０００３】
また、近年のカメラ付き携帯電話装置やテレビ電話システム等では、画像入力装置により取り込まれた送信者の顔の映像が相手に送信され、相手の装置のディスプレイに送信者の顔を表示することができる。さらに、送信する顔の映像に対して、静止画によるマスキングを施してから送信できるテレビ電話等が知られている。
【０００４】
図９は、画像に静止画によるマスキングを施してから送信するテレビ電話装置の一例として、特開平５−６４１８０号公報に記載された従来のテレビ電話を示すブロック図である。
図９のテレビ電話装置５００では、画像入力装置５０１から入力された映像信号は、画像処理ユニット５０２を介して、フレームメモリ５０３に一旦取りこまれる。なお、画像入力装置５０１としては、例えば、撮像ユニットが挙げられる。
【０００５】
次に、画像処理ユニット５０２は、フレームメモリ５０３から読み出した映像信号に対して２値画像メモリ５０４から読み出したマスキング画像を被せるように合成（オーバーレイ）した後、その合成画像を画像出力装置５０５へと出力する。また、画像出力装置５０５としては、例えば、伝送ユニットが挙げられる。
【０００６】
図１０は、図９のテレビ電話５００における各入力画像と合成された出力画像を示す図である。
図１０（ａ）は、画像入力装置５０１の撮像ユニットで撮影された撮像画像５５０を示すものであり、例えば、テレビ電話等では、送信者の姿（顔）５５１が背景５５２の中に示される。
【０００７】
図１０（ｂ）は、静止画の２値画像であるマスキング画像５６０を示すものであり、マスキング部５６２中に透過部５６１を有している。
【０００８】
図１０（ｃ）は、図１０（ａ）の画像に被さるように（オーバーレイ）して図１０（ｂ）を合成した出力映像を示すものであり、背景５５２はマスキング部５６２によりマスキングされ、透過部５６１の中に送信者の姿（顔）５５１が表れた画像となっている。
【０００９】
このように、従来のテレビ電話装置等では、静止画のマスキング部５６２中に設けられた透過部５６１の位置に、送信者の姿（顔）５５１が入るように画像入力装置を操作したり、送信者が透過部５６１の位置に合わせて移動することで、背景５５２をマスキングすることができた。
【００１０】
例えば、従来のテレビ電話装置の送信者が、人物の顔は伝送したいが、背景は伝送したくない場合には、送信者は、マスキング部を使用し、顔の撮像位置をあらかじめ定めた透過部の領域内に合わせていた。つまり、この場合には、送信者が、自分の手動操作により、背景とマスキング部とを一致させるか、あるいは、顔と透過部とを一致させる必要があった。
【００１１】
また、例えば、送信者が背景は伝送したくない場合で、顔の撮像位置を透過部の領域内に合わせられない場合には、全ての画像の送信を中止して、音声のみの送信にするしかなかった。
【００１２】
【発明が解決しようとする課題】
上記したように、従来のテレビ電話装置等では、撮像した画像の背景部を伝送したくない場合には、上記したように、送信者が顔と透過部等を一致させて背景をマスキングするか、あるいは、画像の送信を中止するしかなかったので、例えば、入力画像中の人物（送信者）の位置が移動しているときには、送信者は、顔の位置を透過部の位置と手動操作で一致させるという煩雑な作業を実施しなければならなかった。また、顔の位置と透過部の位置とを一致させることが難しい場合には、画像送信を断念しなければならないという問題がある。
【００１３】
また、送信者が移動中である場合には、送信者の顔の位置と画像入力装置の位置も変動するため、入力画像中の人物（顔）の大きさが変わり、静止画のマスキング部では、顔が小さくなった時には回りの背景が透過部に映ってしまい、顔が大きくなった時には、顔の一部しか映らず顔全体が映し出されなくなるという問題があった。
【００１４】
この発明は、上述のような問題を解消するためになされたものであり、自動的に入力画像中から特定領域として人物の顔のみを検出し、他の領域をマスキングして出力できる映像信号編集装置を提供することを目的とする。
【００１５】
【課題を解決するための手段】
上記した目的を達成するため、請求項１に記載した映像信号編集装置は、画像入力装置から入力する映像信号中から特定領域を検出して該特定領域のフレーム内における位置データを出力する特定領域検出部と、画像入力装置から入力する画像の少なくとも一部を覆うように合成される重畳画像を格納する重畳画像記憶部と、前記位置データに基づき、フレーム内における前記重畳画像の位置を変更する重畳画像編集部と、画像入力装置から入力する映像信号と前記重畳画像とを合成する画像合成部とを備え、前記特定領域検出部は、特定領域の寸法を検出して寸法データを出力する手段を有し、前記重畳画像編集部は、前記寸法データを前記重畳画像と比較することにより寸法差を検出し、該寸法差に基づいて、前記重畳画像の倍率を変更する手段を有し、前記重畳画像記憶部に格納される前記重畳画像は、動画であり、前記重畳画像編集部は、時間経過により変化する動画の重畳画像を、前記位置データおよび前記寸法データに適応させて位置および倍率を変更することを特徴とする。
【００１７】
また、請求項２に記載した映像信号編集装置は、重畳画像記憶部に格納される重畳画像は、透過あるいは非透過が自在となる背景部を有し、重畳画像編集部は、外部からの制御信号により、背景部の透過度を変更する手段を有することを特徴とする。
【００１９】
また、請求項３に記載した映像信号編集装置は、重畳画像編集部が、時間経過に従って動画の重畳画像の背景の透過度を、非透過から透過に漸次変更するか、あるいは、非透過から透過に漸次変更することを特徴とする。
【００２０】
【発明の実施の形態】
以下、この発明の実施の形態を図面に基づいて具体的に説明する。
実施の形態１．
図１は、この発明の実施の形態１である映像信号編集装置の構成を示すブロック図である。
同図において、１はカメラなどの撮像装置を備え入力画像をデジタルの映像信号として出力する画像入力装置である。２は、映像信号中の顔の位置を映像信号から検出し、その顔の位置に合わせてマスキング画像の透過部の位置を変更して、映像信号と合成（オーバーレイ）できる映像信号編集装置である。３は、合成された映像信号を画像表示する画像出力装置である。なお、本実施の形態の映像信号編集装置２が、例えば、テレビ電話装置に用いられる場合には、合成された映像信号は、まず、図示しない符号化装置に入力されて送信符号となって相手のテレビ電話装置に向けて送出される。符号化装置は、例えば、ＭＰＥＧ４、Ｈ．２６３等の画像符号化方式を用いて映像信号を符号化するものである。
【００２１】
また、映像信号編集装置２の内部において、１１は、画像入力装置１から入力する映像信号である入力画像データＰ１から送信者の顔等を特定領域として検出し、検出した領域に関するデータ（領域データ：ＡＲ）を出力する特定領域検出部である。１２は、静止画のマスキング画像あるいは送信者の顔等の画像を修飾するために被せる静止画の重畳画像を格納し、重畳画像データＰ２として出力する重畳画像記憶部である。１３は、領域データＡＲに基づいて、画像フレーム内における重畳画像データＰ２の表示位置を変更する重畳画像編集部である。１４は、入力画像データＰ１に被せる（オーバーレイする）ように重畳画像データＰ２を合成して合成画像データＰ３を出力する画像合成部である。
【００２２】
図２は、本実施の形態の映像信号編集装置２の内部の一部の構成を示すブロック図である。
特定領域検出部１１には、入力する入力画像データＰ１から、顔等の特定領域の境界を検出する特定領域境界検出部２１と、その検出された境界の画像フレーム中における座標位置を判定して位置データＡＲ−Ｐを出力する座標位置判定部２２とを有している。顔の検出方法としては、例えば、顔の輪郭を色差情報、輝度差情報、形状判定等を利用して、肌色領域の検出や動き検出などの方法により顔領域を検出すれば良い。また、座標位置の判定は、例えば、輪郭全ての座標位置を判定しても良いし、Ｘ軸およびＹ軸における顔の輪郭の最大値と最小値等から中心値を得るようにしても良い。
【００２３】
重畳画像編集部１３には、画像フレームにおける入力する重畳画像データＰ２の表示位置を、位置データＡＲ−Ｐに適合するようにシフト（編集）させてからその重畳画像データＭＰ２を出力する座標位置シフト部３４を有している。
【００２４】
以下、本実施の形態の映像信号編集装置の動作について説明する。
図３は、図１に示した映像信号編集装置２の入力画像データと出力画像データを表す図である。
図３（ａ）は、画像入力装置１から入力される入力画像データＰ１による撮像映像である。撮像映像１００には、送信者の顔１１０およびその背景１１２が表示される。また、本実施の形態で検出される特定領域としては、送信者の顔１１０であり、例えば、色差情報、輝度差情報、あるいは形状判定等により、その顔１１０の輪郭１１０ａが検出される。
【００２５】
図３（ｂ）は、図１の重畳画像記憶部（画像メモリ）１２に格納されたマスキング画像等の重畳画像である。重畳画像２００には、合成後にも送信者の顔を表示させるための顔用透過領域２０１と、顔の回りをマスキングまたは修飾する顔周囲用非透過領域２０２と、合成後に背景を表示させるための背景用透過領域２０３とを有している。
【００２６】
図３（ｃ）は、映像信号編集装置２の画像合成部１４から出力される合成画像データＰ３による出力映像である。出力映像３００では、送信者の顔１１０の位置に合わせて位置がシフトされた顔周囲用非透過領域２０２が表示され、あるいは、その顔用透過領域２０１内を透過して顔１１０が表示され、また、背景用透過領域２０３を透過して背景１１２が表示される。
【００２７】
図４は、座標位置判定部２２による座標の判定動作を示す図である。
特定領域境界検出部２１により検出された顔の輪郭（境界線）１１０ａにより、送信者の顔１１０の画像部分は、景色１１２の画像部分と分かられている。走査線の副走査方向をＸ軸にとり、主走査方向をＹ軸にとった場合の左上端からの境界線１１０ａの各方向の距離を計測する。
【００２８】
境界線１１０ａにおけるｘ軸の値が最小値となるポイントをＡとして、そのポイントＡの座標を（Ｘ１、Ｙ１）とする。また、ｘ軸の値が最大値となるポイントをＢとして、そのポイントＢの座標を（Ｘ２、Ｙ２）とする。同様にして、ｙ軸の値が最小値となるポイントをＣとして、そのポイントＣの座標を（Ｘ３、Ｙ３）とし、ｙ軸の値が最大値となるポイントをＤとして、そのポイントＤの座標を（Ｘ４、Ｙ４）とする。
【００２９】
送信者の顔１１０の画像部分は、ｘ軸上の範囲がＸ１からＸ２までであり、ｙ軸上の範囲がＹ３からＹ４となる。例えば、送信者の顔１１０の画像部分の中心点としては、ｘ軸上の座標点を（Ｘ２−Ｘ１）／２とし、ｙ軸上の座標点を（Ｙ４−Ｙ３）／２とすれば良い。
【００３０】
図３（ｂ）の顔用透過領域２０１が円形状や楕円形状である場合には、顔用透過領域２０１の中心点を（（Ｘ２−Ｘ１）／２、（Ｙ４−Ｙ３）／２）となるように重畳画像２００の表示位置をシフトさせることで図３（ｃ）に示した画像を得ることができる。
【００３１】
このように、本実施の形態では、送信者の顔の画像位置に合わせてマスキング画像（オーバーレイ画像）の表示位置を自動的にシフトさせることができるので、送信者は、自分で位置調整を実施する必要がなくなり、煩雑な作業を実施しなくてもよくなる。また、自動で顔の位置と透過部の位置とを一致させることができるので、画像送信を断念する事態も回避することができる。
【００３２】
実施の形態２．
上記した実施の形態１では、特定領域検出部１１で顔の位置データを検出し、重畳画像編集部１３でマスキング画像の表示位置を自動的にシフトさせるようにしたが、送信者が移動している場合には、位置が変わるだけでなく、顔の大きさが変わる場合もある。そこで、以下に示す実施の形態２では、顔の位置データに加えて大きさのデータも検出し、マスキング画像の表示位置および大きさを自動的に変更する場合について説明する。
【００３３】
図５は、本実施の形態の映像信号編集装置２の内部の一部の構成を示すブロック図である。
特定領域検出部１１ａには、実施の形態１と同様な機能を有する特定領域境界検出部２１と座標位置判定部２２に加えて、座標位置判定部２２から出力される位置データＡＲ−Ｐに基づいて領域寸法を計測して寸法データＡＲ−Ｌを出力する領域寸法計測部２３とを有している。領域寸法の計測方法としては、例えば、図４に示したＸ２−Ｘ１の演算により顔の横方向の寸法を計測し、Ｙ４−Ｙ３の演算により顔の縦方向の寸法を計測してその結果を寸法データＡＲ−Ｌとして出力すれば良い。
【００３４】
重畳画像編集部１３ａには、実施の形態１と同様な機能を有する座標位置シフト部３４の前段に、入力する重畳画像データＰ２を寸法データＡＲ−Ｌと比較する領域比較部３２と、領域比較部３２の比較結果を受けて重畳画像データＰ２の表示倍率を変更する画像倍率変更部３３とを有している。
【００３５】
本実施の形態の座標位置シフト部３４では、画像倍率変更部３３で表示倍率が変更された重畳画像データＰ２の表示位置を、位置データＡＲ−Ｐでシフトさせる。
以下、本実施の形態の映像信号編集装置の動作について説明する。
【００３６】
図６は、本実施の形態の映像信号編集装置２の入力画像データと出力画像データを表す図である。
図６（ａ）は、画像入力装置１から入力される入力画像データＰ１による撮像映像である。本実施の形態における撮像映像１２０中の送信者の顔１１０は、実施の形態１よりも大きく表示されている。他の表示内容は実施の形態１と同様である。
【００３７】
図６（ｂ）は、図１の重畳画像記憶部（画像メモリ）１２に格納されたマスキング画像等の重畳画像であり、実施の形態１と同様である。
図６（ｃ）は、映像信号編集装置２の画像合成部１４から出力される合成画像データＰ３による出力映像である。
【００３８】
出力映像３１０では、送信者の顔１３０の大きさに合わせて拡大後に位置がシフトされた顔周囲用非透過領域３０２が表示され、その顔用透過領域内を透過して顔１３０が表示され、また、拡大された背景用透過領域２０３を透過して背景１３２が表示される。
【００３９】
このように本実施の形態では、図６（ａ）に示したように撮像画像中の顔の大きさが変わる場合であっても、変わらない場合と同じマスキング画像（オーバーレイ画像）を用いることができ、そのマスキング画像の表示位置および大きさを自動的に顔の領域に合わせて拡大あるいは縮小させることができる。
【００４０】
実施の形態３．
また、上記実施の形態１ないし２ではオーバーレイ画像に顔用透過領域２０１以外に背景用透過領域２０３を用意したが、背景を非透過にする構成としてもよい。
【００４１】
上記した実施の形態１および２では、マスキング画像の背景にも透過領域２０３を設けて、撮像映像の背景の一部が見えるようにしたが、例えば、撮像映像の背景を全く見えないようにしたい場合もある。そこで、以下に示す実施の形態３では、撮像映像の背景を全く見えないようにする場合について説明する。
【００４２】
図７は、本実施の形態の映像信号編集装置２の内部の一部の構成を示すブロック図である。
特定領域検出部１１ｂには、実施の形態２と同様な機能を有する特定領域境界検出部２１と座標位置判定部２２と領域寸法計測部２３とを有している。
重畳画像編集部１３ｂには、実施の形態２と同様な機能を有する領域比較部３２と、画像倍率変更部３３と、座標位置シフト部３４に加えて、外部からの制御信号により重畳画像データＰ２の背景の透過度を変更できる背景透過度調節部３１とを有している。
【００４３】
本実施の形態の領域比較部３２では、背景透過度調節部３１で背景の透過度が調節された重畳画像データＰ２について、寸法データＡＲ−Ｌと比較し、画像倍率変更部３３で倍率を変更する。
【００４４】
本実施の形態の座標位置シフト部３４では、背景透過度調節部３１で背景の透過度が調節され、さらに、画像倍率変更部３３で表示倍率が変更された重畳画像データＰ２の表示位置を、位置データＡＲ−Ｐでシフトさせる。
【００４５】
以下、本実施の形態の映像信号編集装置の動作について説明する。
図８は、本実施の形態の映像信号編集装置２の入力画像データと出力画像データを表す図である。
図８（ａ）は、画像入力装置１から入力される入力画像データＰ１による撮像映像であり、実施の形態２と同様である。
【００４６】
図８（ｂ）は、図１の重畳画像記憶部（画像メモリ）１２に格納されたマスキング画像等の重畳画像であり、位置や形状については実施の形態１と同様であるが背景については非透過の画像となっている。
【００４７】
図８（ｃ）は、映像信号編集装置２の画像合成部１４から出力される合成画像データＰ３による出力映像である。出力映像３２０では、送信者の顔１３０の大きさに合わせて拡大後に位置がシフトされた顔周囲用非透過領域３０２が表示され、その顔用透過領域内を透過して顔１３０が表示される点では実施の形態２と同様であるが、拡大された背景用透過領域３１４が表示される。
【００４８】
このように本実施の形態では、図８（ａ）に示したように撮像画像中の顔の大きさが変わる場合であっても、変わらない場合と同じマスキング画像（オーバーレイ画像）を用いることができ、そのマスキング画像の表示位置および大きさに合わせて自動的に背景部をマスキングすることができる。
【００４９】
実施の形態４．
また、上記した実施の形態３では、マスキング画像（オーバーレイ画像）が静止画である場合について説明したが、例えば、顔部分に透過領域有する複数のマスキング画像からなるアニメーション（動画）を重畳画像記憶部１２に格納することができる。
【００５０】
その場合、時間の経過に従って位置や大きさが変化するアニメーションの画像中の顔部分の透過領域の位置や寸法が既知である時には、その位置や寸法に従って、例えば、図７に示した画像領域変更部３３や座標位置シフト部３４により、マスキング画像の座標位置や寸法位置を制御する。
【００５１】
また、アニメーションの画像中の顔部分の透過領域の位置や寸法が不明である時には、例えば、特定領域検出部１１ｂ中の特定領域境界検出部２１、座標位置判定部２２および領域寸法計測部２３と同様な回路部を重畳画像編集部１３ｂの入力段に設けることで、顔部分の透過領域の位置や寸法を知ることができる。以後の制御は上記した位置や寸法が既知である時と同様である。
【００５２】
このようにして、本実施形態では、アニメーションをマスキング画像（オーバーレイ画像）として用いることができ、そのアニメーションのマスキング画像の表示位置および大きさに合わせて、自動的に顔の透過領域に撮像画像中の顔を入れたり、背景部をマスキングさせることができる。
【００５３】
実施の形態５．
また、上記した実施の形態４では、マスキング画像が透過か非透過かの何れかである場合について説明したが、その際に、例えば、フェードイン／フェードアウトの手法を用いて、背景の透過度調整部３１を制御することにより、時間の経過とともに透過された背景からマスキング画像に切り替わるように構成しても良い。
【００５４】
その場合、重畳画像編集部１３は、例えば、送信者が移動中に背景を隠したい場所にさしかかった場合には、時間の経過に従って重畳画像の背景の透過度を透過から非透過に漸次変更する（フェードアウト）することで、相手に急な切替による不快感を与えることが少なく背景をマスキングできる。同様に、送信者が移動中に背景を隠す必要のない場所にさしかかった場合には、時間の経過に従って重畳画像の背景の透過度を非透過から透過に漸次変更する（フェードイン）することで、相手に不快感を与えることが少なく背景を表示させることができる。
【００５５】
このようにして、本実施形態では、例えば、送信者が移動中であっても、場所に応じて背景を隠したり、背景を表示させたりする事ができ、さらに、背景をフェードインさせたりフェードアウトさせることができるので、画像を見る相手に不快感を与える事態を減少させることができる。
【００５６】
尚、上記した各実施の形態では、入力画像データから検出する特定領域として、顔を検出するようにしていたが、本発明はこれに限られるものではなく、入力画像から特定可能であるあらゆる領域に対して適用することができる。例えば、手や指先を特定画像として、他をマスキングするようにしても良いし、動物や移動体を特定領域として、背景をマスキングするようにしても良い。
【００５７】
【発明の効果】
上記したように請求項１に記載した本発明では、送信者の顔の画像位置に合わせてマスキング画像（オーバーレイ画像）の表示位置を自動的にシフトさせることができるので、送信者は、自分で位置調整を実施する必要がなくなり、煩雑な作業を省略することができ、自動で顔の位置と透過部の位置とを一致させることができるので、画像送信を断念する事態も回避することができる。
【００５８】
また、請求項１に記載した本発明では、撮像画像中の顔の大きさが変わる場合であっても、上記した大きさが変わらない場合と同じマスキング画像（オーバーレイ画像）を用いて、マスキング画像の表示位置および大きさを自動的に顔の領域に合わせて拡大あるいは縮小することができる。
【００５９】
また、請求項２に記載した本発明では、撮像画像中の顔の大きさが変わる場合であっても、変わらない場合と同じマスキング画像（オーバーレイ画像）を用いることができることに加えて、マスキング画像の表示位置および大きさに合わせて自動的に背景部をマスキングすることができる。
【００６０】
また、請求項１に記載した本発明では、アニメーションをマスキング画像（オーバーレイ画像）として用いることができ、そのアニメーションのマスキング画像の表示位置および大きさに合わせて、自動的に顔の透過領域に撮像画像中の顔を入れたり、背景部をマスキングさせることができる。
【００６１】
また、請求項３に記載した本発明では、送信者が移動中であっても、場所に応じて背景を隠したり、背景を表示させたりする事ができ、さらに、背景をフェードインさせたりフェードアウトさせることができるので、画像を見る相手に不快感を与える事態を減少させることができる。
【図面の簡単な説明】
【図１】  この発明の実施の形態１である映像信号編集装置の構成を示すブロック図である。
【図２】  図１の映像信号編集装置の内部の一部の構成を示すブロック図である。
【図３】  （ａ）〜（ｃ）は図１に示した映像信号編集装置の入力画像データと出力画像データを表す図である。
【図４】  座標位置判定部による座標の判定動作を示す図である。
【図５】  この発明の実施の形態２である映像信号編集装置の内部の一部の構成を示すブロック図である。
【図６】  （ａ）〜（ｃ）は図５の映像信号編集装置の入力画像データと出力画像データを表す図である。
【図７】  この発明の実施の形態３である映像信号編集装置の内部の一部の構成を示すブロック図である。
【図８】  （ａ）〜（ｃ）は図７の映像信号編集装置の入力画像データと出力画像データを表す図である。
【図９】  従来のテレビ電話を示すブロック図である。
【図１０】  （ａ）〜（ｃ）は図９のテレビ電話における各入力画像と合成された出力画像を示す図である。
【符号の説明】
１  画像入力装置（撮像装置）、  ２  映像信号編集装置、  ３  画像出力装置、  １１  特定領域（顔）検出部、  １２  重畳画像記憶部、  １３  重畳画像編集部、  １４  画像合成部、  ２１  特定領域境界検出部、  ２２  座標位置判定部、  ２３  領域寸法計測部、  ３１  背景透過度調整部、  ３２  領域比較部、  ３３  画像倍率変更部、  ３４  座標位置シフト部。
【図１】
0003957479.tif 000002
【図２】
0003957479.tif 000003
【図３】
0003957479.tif 000004
【図４】
0003957479.tif 000005
【図５】
0003957479.tif 000006
【図６】
0003957479.tif 000007
【図７】
0003957479.tif 000008
【図８】
0003957479.tif 000009
【図９】
0003957479.tif 000010
【図１０】
0003957479.tif 000011